(57)【要約】  第一の巻きピッチを有する第一長手方向部分と第二の巻きピッチを有する第二長手方向部分とを含む螺旋形の放射素子、及び概ね螺旋形の放射素子と同軸で、少なくとも大部分の第一長手方向部分に沿って延在する円筒形の放射素子を包含するモノポールアンテナが提供される。
2008533901.tif 000002
【特許請求の範囲】
【請求項１】
モノポールアンテナであって、
第一の巻きピッチを有する第一長手方向部分と、第二の巻きピッチを有する第二長手方向部分とを含む螺旋形の放射素子と
前記螺旋形の放射素子と概ね同軸で、少なくとも大部分の前記第一長手方向部分に沿って延在する円筒形の放射素子と、
を具備するモノポールアンテナ。
【請求項２】
前記螺旋形の放射素子と前記円筒形の放射素子との間に配置される誘電性の分離体をまた具備する、請求項１に記載のモノポールアンテナ。
【請求項３】
前記螺旋形の放射素子の内側に配置され、前記螺旋形の放射素子の第一長手方向部分の第一の巻きピッチを維持するために形成されている誘電性の挿入体をまた具備する、請求項１又は２に記載のモノポールアンテナ。
【請求項４】
前記第二の巻きピッチが前記第一の巻きピッチより大きい、請求項１から３のいずれか一項に記載のモノポールアンテナ。
【請求項５】
前記第二の巻きピッチが、前記第一の巻きピッチより40-50%大きい、請求項４に記載のモノポールアンテナ。
【発明の詳細な説明】
【技術分野】
【０００１】
本発明は、概ねアンテナに関し、より詳細には携帯機器用の広帯域アンテナに関する。
【背景技術】
【０００２】
特許文献１は、現状技術を表していると考える。
【０００３】
【特許文献１】米国特許第４７７２８９５号明細書
【発明の開示】
【発明が解決しようとする課題】
【０００４】
本発明は、携帯機器用の改良したアンテナを提供することを目指す。
【課題を解決するための手段】
【０００５】
従って、本発明の好適な実施形態によって、第一の巻きピッチを有する第一長手方向部分と第二の巻きピッチを有する第二長手方向部分とを含む螺旋形の放射素子、及び概ね螺旋形の放射素子と同軸で、少なくとも大部分の第一長手方向部分に沿って延在する円筒形の放射素子を包含するモノポールアンテナが提供される。
【０００６】
本発明の好適な実施形態に従って、モノポールアンテナはまた、螺旋形の放射素子と円筒形の放射素子との間に位置する誘電性の分離体を包含する。好ましくは、モノポールアンテナはまた、螺旋形の放射素子の内側に位置し、螺旋形の放射素子の第一長手方向部分の第一の巻きピッチを維持するために配置される誘電性の挿入体を包含する。
【０００７】
本発明の別の好適な実施形態に従って、第二の巻きピッチは、第一の巻きピッチより大きい。好ましくは、第二の巻きピッチは、第一の巻きピッチより40-50%大きい。
【０００８】
本発明は、添付図面と併せて得られる以下の詳細な記述から、より完全に理解され認識されるだろう。
【発明を実施するための最良の形態】
【０００９】
参照した図１は、本発明の好適な実施形態に従って構成され効果をもたらす、アンテナの簡易組立分解図であり、図２Ａ、２Ｂ、及び２Ｃはそれぞれ、図１のアンテナの、簡易組立図、部分的な切り欠き図、及び断面図である。
【００１０】
図１と２Ａ−２Ｃで分かるように、アンテナは、比較的狭いおネジ山の部分１０２を有する導電性の基部１００を包含し、おネジ山の部分１０２は、例えば携帯電話のような発信機のアンテナの基部ソケットと螺合可能になっている。基部１００はまた、比較的広いおネジ山の部分１０４を包含する。
【００１１】
絶縁性のピンソケット要素１１０と絶縁性のピンソケットカラー１１２は、基部１００の内部に配置される。導電性のピン１１４はまた、基部１００内でピンソケット要素１１０とピンソケットカラー１１２との内部に配置される。導電コイルの基部要素１１６は、ピンソケットカラー１１２に収容され、ピン１１４の頭部を囲む。絶縁性のおネジ山の固定要素１１８は、基部１００に形成されるめネジ山１２０と螺合出来る。
【００１２】
本発明の好適な実施形態に従って、例えば絶縁性のコイル基部の内部支持部１２２のような誘電性の挿入体は、その概ね円筒形の外面上にコイルピッチを決定する型板１２４を備えて形成され、型板１２４は、好ましくは、1cm当たり7-8回巻きの範囲で第一のコイルピッチを画定する。誘電性のコイル基部の内部支持部１２２に、例えば電導アンテナコイル１２６のような螺旋形の放射素子を係合することは、型板１２４と係合するアンテナコイル１２６の符号１２８で指定される第一長手方向部分が、第一のコイルピッチを有することを保証する。好ましくは、型板１２４と係合しないアンテナコイル１２６の符号１３０で指定される第二長手方向部分は、第一のコイルピッチよりも概ね40-50%大きい第二のコイルピッチを有し、好ましくは、1cm当たり4-6回巻きの範囲である。コイルの基部要素１１６とコイルの基部の内部支持部１２２とは、図３Ａと３Ｂで詳細に示される。
【００１３】
図４Ａと４Ｂは、コイルの基部の内部支持部１２２とコイルの基部要素１１６とによるアンテナコイル１２６の係合を示し、同様に、ピンソケット要素１１０、ピンソケットカラー１１２、及びピン１１４による相互の係合を示し、これら全ては、図１−２Ｃのアンテナアセンブリの一部分を形成する。電導経路は、コイル１２６の底部で内側とコイルの基部要素１１６の外面１３１との間の堅固な係合によって、及びコイルの基部要素１１６とピン１１４との間の相互に堅固な係合によって画定されることが認められる。
【００１４】
図５Ａと５Ｂは、図４Ａと４Ｂに類似し、さらに基部１００によるピンソケット要素１１０とピンソケットカラー１１２との係合を示す。電導経路は、コイル１２６の底部の内側とコイルの基部要素１１６の外面１３１との間の堅固な係合によって、及びコイルの基部要素１１６とピン１１４との間の相互に堅固な係合によって画定されることが認められ、電導経路は、ピンソケットカラー１１２とピンソケット要素１１０とによって基部１００から絶縁される。
【００１５】
図６Ａと６Ｂは、図５Ａと５Ｂに類似し、さらに基部１００のめネジ山１２０とおネジ山の固定要素１１８との間で螺合出来ることを示し、その結果、基部１００内にコイルの基部要素１１６を固定する。誘電性分離体１３２は、アンテナコイル１２６の第一長手方向部分１２８の外面と重なるネジ山が切られた固定要素１１８と係合して配置され、第一長手方向部分１２８を、例えば導電性の外部アンテナの基部要素１３４のような、誘電性の分離体１３２に装着される円筒形の放射素子から分離し、それは図２Ｃで特に明瞭に示される。導電性の外部アンテナの基部要素１３４は、めネジ山の部分１３６を含み、それは図２Ｃで特に明瞭に示すように、基部１００のおネジ山１０４と螺合することが出来る。
【００１６】
図２Ａで特に明瞭に分るように、誘電性の可撓性アンテナのカバー要素１３８は、図５Ａと５Ｂを参照して上述されたアセンブリの外面に配置され、結合先端部１４０を有する。
【００１７】
本発明は、上に詳細に示され述べられたものによって限定されないことが、当業者によって認識される。むしろ本発明の範囲は、上記に述べられた様々な特徴の結合及び副結合のいずれをも含み、同様に、上の記述を読んだ時に当業者が思い浮かぶ及び先行技術に無い変形や改良もまた含む。
【図面の簡単な説明】
【００１８】
【図１】本発明の好適な実施形態に従って構成され効果をもたらす、アンテナの簡易組立分解図である。
【図２Ａ】図１のアンテナの簡易組立図である。
【図２Ｂ】図１のアンテナの部分的な切り欠き図である。
【図２Ｃ】図１のアンテナの図２Ａの矢視線IIC-IICに沿った断面図である。
【図３Ａ】図１−２Ｃのアンテナアセンブリの一部分を形成する、コイルの基部の内部支持部とコイルの基部要素との簡易組立図である。
【図３Ｂ】図１−２Ｃのアンテナアセンブリの一部分を形成する、コイルの基部の内部支持部とコイルの基部要素との、図３Ａの矢視線IIIB-IIIBに沿った断面図である。
【図４Ａ】全てが図１−２Ｃのアンテナアセンブリの一部分を形成する、コイルの基部の内部支持部とコイルの基部要素とによるアンテナコイルの係合、同様にピンソケット要素、ピンソケットカラー及びピンによる相互の係合の簡易組立図である。
【図４Ｂ】全てが図１−２Ｃのアンテナアセンブリの一部分を形成する、コイルの基部の内部支持部とコイルの基部要素とによるアンテナコイルの係合、同様にピンソケット要素、ピンソケットカラー及びピンによる相互の係合の、図４Ａの矢視線IVB-IVBに沿った断面図である。
【図５Ａ】全てが図１−２Ｃのアンテナアセンブリの一部分を形成する、コイルの基部の内部支持部とコイルの基部要素とによるアンテナコイルの係合、同様にピンソケット要素、ピンソケットカラー、ピン、及び基部による相互の係合の簡易組立図である。
【図５Ｂ】全てが図１−２Ｃのアンテナアセンブリの一部分を形成する、コイルの基部の内部支持部とコイルの基部要素とによるアンテナコイルの係合、同様にピンソケット要素、ピンソケットカラー、ピン、及び基部による相互の係合の、図５Ａの矢視線VB-VBに沿った断面図である。
【図６Ａ】全てが図１−２Ｃのアンテナアセンブリの一部分を形成する、誘電性分離体とアンテナの基部要素とによる、同様にコイルの基部の内部支持部とコイルの基部要素とによるアンテナコイルの係合、及びピンソケット要素、ピンソケットカラー、ピン、及び基部による相互の係合の簡易組立図である。
【図６Ｂ】全てが図１−２Ｃのアンテナアセンブリの一部分を形成する、誘電性分離体とアンテナの基部要素とによる、同様にコイルの基部の内部支持部とコイルの基部要素とによるアンテナコイルの係合、及びピンソケット要素、ピンソケットカラー、ピン、及び基部による相互の係合の、図６Ａの矢視線VIB-VIBに沿った断面図である。
【図１】
2008533901.tif 000003
【図２Ａ】
2008533901.tif 000004
【図２Ｂ】
2008533901.tif 000005
【図２Ｃ】
2008533901.tif 000006
【図３Ａ】
2008533901.tif 000007
【図３Ｂ】
2008533901.tif 000008
【図４Ａ】
2008533901.tif 000009
【図４Ｂ】
2008533901.tif 000010
【図５Ａ】
2008533901.tif 000011
【図５Ｂ】
2008533901.tif 000012
【図６Ａ】
2008533901.tif 000013
【図６Ｂ】
2008533901.tif 000014